(57)【要約】【課題】DisplayPort（商標）における規格で可視画像データと共に位相検出画像データを送受信できるようにする。【解決手段】有効画素領域７１上に設定された位相検出画素が存在するラインＬ１乃至Ｌ１５における位相検出画素の情報を水平ブランキング領域７３に、位相検出画像データパケット８３として配置する。これらの位相検出画像データパケットについての情報を、位相検出画像情報パケット８２として垂直ブランキング領域７２上に設定する。このようにして、有効画素領域７１により生成される可視画像データと共に位相検出画像データを送受信する。本技術は、ディスプレイポートに適用することができる。【選択図】図４
2015188154.tif 000002
【特許請求の範囲】
【請求項１】
撮像装置の有効画素データからなる可視画像データを、ディスプレイに伝送するフォーマットを用いて伝送する伝送装置において、
前記可視画像データに加えて、前記撮像装置における位相検出画像データを伝送する伝送部を含む
伝送装置。
【請求項２】
前記伝送部は、前記ディスプレイに伝送するフォーマットを利用して、前記撮像装置における前記位相検出画像データをパケット化して伝送する
請求項１に記載の伝送装置。
【請求項３】
前記ディスプレイに伝送するフォーマットは、DisplayPort（商標）で規定されるフォーマットであり、
前記伝送部は、前記DisplayPort（商標）で規定されるSDP（Secondary-data Packet）を、前記ディスプレイに伝送するフォーマットとして利用し、前記撮像装置における前記位相検出画像データをパケット化して伝送する
請求項２に記載の伝送装置。
【請求項４】
前記伝送部は、前記DisplayPort（商標）で規定されるSDP（Secondary-data Packet）の、位相検出画像情報パケット、および位相検出画像データパケットを利用して、前記撮像装置における前記位相検出画像データをパケット化して伝送する
請求項３に記載の伝送装置。
【請求項５】
前記伝送部は、前記位相検出画像情報パケットを、垂直ブランキング領域に配置し、前記位相検出画像データパケットを、水平ブランキング領域に配置して、前記位相検出画像データをパケット化して伝送する
請求項４に記載の伝送装置。
【請求項６】
前記位相検出画像情報パケットは、前記位相検出画像データにより構成される位相検出画像の１フレームあたりのライン数および１ライン当たりの画素数、１画素当たりのビット数、並びに１の前記位相検出画像データ当たりの画素数の情報を含む
請求項４に記載の伝送装置。
【請求項７】
前記伝送部は、前記位相検出画像データパケットを所定バイト単位でパッキングして伝送する
請求項４に記載の伝送装置。
【請求項８】
前記伝送部は、前記ディスプレイに伝送するフォーマットにおける、１の伝送路で複数のストリームを複数のストリームソースから複数のストリームシンクに伝送する方式を利用して、前記可視画像データに加えて、前記撮像装置における前記位相検出画像データを伝送する
請求項１に記載の伝送装置。
【請求項９】
前記ディスプレイに伝送するフォーマットは、DisplayPort（商標）で規定されるフォーマットであり、
前記伝送部は、前記DisplayPort（商標）で規定されるVirtual Channelを利用して、前記可視画像データからなるストリームと、前記位相検出画像データからなるストリームとを１の伝送路でそれぞれの前記ストリームソースからそれぞれの前記ストリームシンクに伝送することで、前記可視画像データに加えて、前記撮像装置における前記位相検出画像データを伝送する
請求項８に記載の伝送装置。
【請求項１０】
前記Virtual Channelの、前記ストリーム毎に個別に設定される、前記ストリームの画像特性情報であるMSA（Main Stream Attributes）は、前記ストリームが前記位相検出画像データからなるストリームの場合、前記位相検出画像データにより構成される位相検出画像の１フレーム当たりのライン数および１ライン当たりの画素数、並びに１画素当たりのビット数の情報を含む
請求項９に記載の伝送装置。
【請求項１１】
前記MSAは、Mvid（ビデオストリームクロックの周波数）、およびNvid（リンククロック周波数）の情報をそれぞれさらに含み、
前記位相検出画像データからなる位相検出画像の垂直方向画素数および水平方向画素数が、前記可視画像データからなる可視画像の垂直方向画素数および水平方向画素数の、それぞれ１／ｔ、１／ｓであるとき、前記位相検出画像データの前記MSAの前記Mvidと前記Nvidとの比は、前記可視画像データの前記MSAの前記Mvidと前記Nvidとの比の１／（ｔ×ｓ）である
請求項１０に記載の伝送装置。
【請求項１２】
前記MSAは、前記撮像装置を特定する情報をさらに含む
請求項１０に記載の伝送装置。
【請求項１３】
撮像装置の有効画素データからなる可視画像データを、ディスプレイに伝送するフォーマットを用いて伝送する伝送装置の伝送方法において、
前記可視画像データに加えて、前記撮像装置における位相検出画像データを伝送する伝送するステップを含む
伝送方法。
【請求項１４】
撮像装置の有効画素データからなる可視画像データを、ディスプレイに伝送するフォーマットを用いて伝送する伝送装置を制御するコンピュータに、
前記可視画像データに加えて、前記撮像装置における位相検出画像データを伝送する伝送ステップを含む処理を実行させる
プログラム。
【請求項１５】
撮像装置の有効画素データからなる可視画像データを、ディスプレイに伝送するフォーマットを用いて受信する受信装置において、
前記可視画像データに加えて、前記撮像装置における位相検出画像データを受信する受信部を含む
受信装置。
【請求項１６】
撮像装置の有効画素データからなる可視画像データを、ディスプレイに伝送するフォーマットを用いて受信する受信装置の受信方法において、
前記可視画像データに加えて、前記撮像装置における位相検出画像データを受信するステップを含む
受信方法。
【請求項１７】
撮像装置の有効画素データからなる可視画像データを、ディスプレイに伝送するフォーマットを用いて受信する受信装置を制御するコンピュータに、
前記可視画像データに加えて、前記撮像装置における位相検出画像データを受信する受信ステップを含む処理を実行させる
プログラム。
【請求項１８】
撮像装置の有効画素データからなる可視画像データを、ディスプレイに伝送するフォーマットを用いて伝送する伝送装置と、受信装置とからなる伝送システムにおいて、
前記伝送装置は、
前記可視画像データに加えて、前記撮像装置における位相検出画像データを前記受信装置に伝送する伝送部を含み、
前記受信装置は、
前記可視画像データに加えて、前記撮像装置における位相検出画像データを前記伝送装置から受信する受信部を含む
伝送システム。
【発明の詳細な説明】
【技術分野】
【０００１】
本技術は、伝送装置および伝送方法、受信装置および受信方法、伝送システム、並びにプログラムに関し、特に、既存のディスプレイポートのインタフェースに利用される通信規格において可視画像データに加えて位相検出画像データを送信できるようにした伝送装置および伝送方法、受信装置および受信方法、伝送システム、並びにプログラムに関する。
【背景技術】
【０００２】
DisplayPort（商標）と称される画像データをディスプレイに伝送するインタフェースの規格があり一般に普及している（例えば、非特許文献１参照）。
【先行技術文献】
【非特許文献】
【０００３】
【非特許文献１】DisplayPort（商標）Version1.2a VESA（Video Electronics Standards Association）
【発明の概要】
【発明が解決しようとする課題】
【０００４】
ところで、DisplayPort（商標）の規格においては、有効画素データからなる可視画像データに加えて、音声データを送信することも規定されており、それらを併せて送受信することが可能である。
【０００５】
しかしながら、DisplayPort（商標）の規格においては、可視画像データに加えて、未定義のデータを送受信するには、何らかの新たな定義をしないと送受信することができない。
【０００６】
本技術は、このような状況に鑑みてなされたものであり、特に、既存のディスプレイポートのインタフェースに利用される通信規格（DisplayPort（商標））において、可視画像データに加えて位相検出画像データを送信できるようにするものである。
【課題を解決するための手段】
【０００７】
本技術の一側面の伝送装置は、撮像装置の有効画素データからなる可視画像データを、ディスプレイに伝送するフォーマットを用いて伝送する伝送装置であって、前記可視画像データに加えて、前記撮像装置における位相検出画像データを伝送する伝送部を含む。
【０００８】
前記伝送部には、前記ディスプレイに伝送するフォーマットを利用して、前記撮像装置における前記位相検出画像データをパケット化して伝送させるようにすることができる。
【０００９】
前記ディスプレイに伝送するフォーマットは、DisplayPort（商標）で規定されるフォーマットであり、前記伝送部には、前記DisplayPort（商標）で規定されるSDP（Secondary-data Packet）を、前記ディスプレイに伝送するフォーマットとして利用して、前記撮像装置における前記位相検出画像データをパケット化して伝送させるようにすることができる。
【００１０】
前記伝送部には、前記DisplayPort（商標）で規定されるSDP（Secondary-data Packet）の、位相検出画像情報パケット、および位相検出画像データパケットを利用して、前記撮像装置における前記位相検出画像データをパケット化して伝送させるようにすることができる。
【００１１】
前記伝送部には、前記位相検出画像情報パケットを、垂直ブランキング領域に配置させ、前記位相検出画像データパケットを、水平ブランキング領域に配置させて、前記位相検出画像データをパケット化して伝送させるようにすることができる。
【００１２】
前記位相検出画像情報パケットには、前記位相検出画像データにより構成される位相検出画像の１フレームあたりのライン数および１ライン当たりの画素数、１画素当たりのビット数、並びに１の前記位相検出画像データ当たりの画素数の情報を含ませるようにすることができる。
【００１３】
前記伝送部には、前記位相検出画像データパケットを所定バイト単位でパッキングして伝送させるようにすることができる。
【００１４】
前記伝送部には、前記ディスプレイに伝送するフォーマットにおける、１の伝送路で複数のストリームを複数のストリームソースから複数のストリームシンクに伝送する方式を利用して、前記可視画像データに加えて、前記撮像装置における前記位相検出画像データを伝送させるようにすることができる。
【００１５】
前記ディスプレイに伝送するフォーマットは、DisplayPort（商標）で規定されるフォーマットとすることができ、前記伝送部には、前記DisplayPort（商標）で規定されるVirtual Channelを利用して、前記可視画像データからなるストリームと、前記位相検出画像データからなるストリームとを１の伝送路でそれぞれの前記ストリームソースからそれぞれの前記ストリームシンクに伝送することで、前記可視画像データに加えて、前記撮像装置における前記位相検出画像データを伝送させるようにすることができる。
【００１６】
前記Virtual Channelの、前記ストリーム毎に個別に設定される、前記ストリームの画像特性情報であるMSA（Main Stream Attributes）には、前記ストリームが前記位相検出画像データからなるストリームの場合、前記位相検出画像データにより構成される位相検出画像の１フレーム当たりのライン数および１ライン当たりの画素数、並びに１画素当たりのビット数の情報を含ませるようにすることができる。
【００１７】
前記MSAには、Mvid（ビデオストリームクロック（Video Stream clock）の周波数）、およびNvid（リンククロック（Link clock）周波数）の情報をそれぞれさらに含ませるようにすることができ、前記位相検出画像データからなる位相検出画像の垂直方向画素数および水平方向画素数が、前記可視画像データからなる可視画像の垂直方向画素数および水平方向画素数の、それぞれ１／ｔ、１／ｓであるとき、前記位相検出画像データの前記MSAの前記Mvidと前記Nvidとの比は、前記可視画像データの前記MSAの前記Mvidと前記Nvidとの比の１／（ｔ×ｓ）とすることができる。
【００１８】
前記MSAには、前記撮像装置を特定する情報をさらに含ませるようにすることができる。
【００１９】
本技術の一側面の伝送方法は、撮像装置の有効画素データからなる可視画像データを、ディスプレイに伝送するフォーマットを用いて伝送する伝送装置の伝送方法であって、前記可視画像データに加えて、前記撮像装置における位相検出画像データを伝送する伝送するステップを含ませるようにすることができる。
【００２０】
本技術の一側面の第１のプログラムは、撮像装置の有効画素データからなる可視画像データを、ディスプレイに伝送するフォーマットを用いて伝送する伝送装置を制御するコンピュータに、前記可視画像データに加えて、前記撮像装置における位相検出画像データを伝送する伝送ステップを含む処理を実行させる。
【００２１】
本技術の一側面の受信装置は、撮像装置の有効画素データからなる可視画像データを、ディスプレイに伝送するフォーマットを用いて受信する受信装置であって、前記可視画像データに加えて、前記撮像装置における位相検出画像データを受信する受信部を含む。
【００２２】
本技術の一側面の受信方法は、撮像装置の有効画素データからなる可視画像データを、ディスプレイに伝送するフォーマットを用いて受信する受信装置の受信方法であって、前記可視画像データに加えて、前記撮像装置における位相検出画像データを受信するステップを含む。
【００２３】
本技術の一側面の第２のプログラムは、撮像装置の有効画素データからなる可視画像データを、ディスプレイに伝送するフォーマットを用いて受信する受信装置を制御するコンピュータに、前記可視画像データに加えて、前記撮像装置における位相検出画像データを受信する受信ステップを含む処理を実行させる。
【００２４】
本技術の一側面の伝送システムは、撮像装置の有効画素データからなる可視画像データを、ディスプレイに伝送するフォーマットを用いて伝送する伝送装置と、受信装置とからなる伝送システムであって、前記伝送装置が、前記可視画像データに加えて、前記撮像装置における位相検出画像データを前記受信装置に伝送する伝送部を含み、前記受信装置が、前記可視画像データに加えて、前記撮像装置における位相検出画像データを前記伝送装置から受信する受信部を含む。
【００２５】
本技術の一側面においては、撮像装置の有効画素データからなる可視画像データが、ディスプレイに伝送するフォーマットを用いて伝送されるとき、前記伝送装置により、前記可視画像データに加えて、前記撮像装置における位相検出画像データが前記受信装置に伝送され、前記受信装置により、前記可視画像データに加えて、前記撮像装置における位相検出画像データが前記伝送装置より受信される。
【００２６】
本技術の一側面の伝送装置、および受信装置は、独立した装置であっても良いし、伝送処理を行うブロックであっても良い。
【発明の効果】
【００２７】
本技術の一側面によれば、既存のディスプレイポートのインタフェースに利用される通信規格において可視画像データに加えて位相検出画像データを送信することが可能となる。
【図面の簡単な説明】
【００２８】
【図１】本技術を適用した伝送システムの第１の実施の形態の構成例を示す図である。
【図２】ZAF画素を説明する図である。
【図３】MSAとSDPを説明する図である。
【図４】MSAとSDPを説明する図である。
【図５】SDPの位相検出画像情報パケットの構成を説明する図である。
【図６】SDPの位相検出画像情報パケットの伝送形式を説明する図である。
【図７】SDPの位相検出画像データパケットの構成と伝送形式を説明する図である。
【図８】MSAの伝送形式を説明する図である。
【図９】MSAの構成を説明する図である。
【図１０】MSAの構成を説明する図である。
【図１１】図１の伝送システムによる送受信処理を説明するフローチャートである。
【図１２】本技術を適用した伝送システムの第２の実施の形態の構成例を示す図である。
【図１３】ZAF画像を説明する図である。
【図１４】Virtual Channelを説明する図である。
【図１５】可視画像とZAF画像おけるMSAの比較を説明する図である。
【図１６】図１１の伝送システムによる送受信処理を説明するフローチャートである。
【図１７】汎用のパーソナルコンピュータの構成例を説明する図である。
【発明を実施するための最良の形態】
【００２９】
なお、説明は以下の順序で行う。
１．第１の実施の形態（Secondary-data Packetを利用した例）
２．第２の実施の形態（Virtual Channelを利用した例）
【００３０】
＜１．第１の実施の形態＞
＜Secondary-data Packetを利用した伝送システムの構成例＞
図１は、本技術を適用した伝送システムの一実施の形態の構成例を示している。図１の伝送システムは、図示せぬ撮像装置により生成（撮像）された画像データを伝送するシステムである。
【００３１】
より具体的には、図１の伝送システムは、伝送部２１および受信部２２より構成されている。伝送部２１は、図示せぬ撮像装置より供給される可視画像データに加えて、位相検出画像データ（ZAF画像データ）を、ディスプレイに送信する規格であるDisplayPort（商標）のSDP（Secondary-data Packet）と呼ばれるフォーマットで受信部２２に送信する。受信部２２は、伝送部２１より送信されてきた可視画像データと共に、位相検出画像データを受信する。尚、以降においては、位相検出画像を、ZAF画像とも称する。また、本明細書においては、画像は、複数の画素より構成されるものとし、画像データは、複数の画素の画素値等のデータである画素データより構成されるものとする。
【００３２】
＜ZAF画素について＞
撮像領域に設定された画素には、可視画像データを生成する有効画素に加えて、所定の間隔でZAF画素が配置されている。このZAF画素には、画素の左側半分が遮光された左遮光画素と、右側半分が遮光された右遮光画素とが存在し、それぞれの画素により撮像された像は、焦点距離に応じて左右にずれる。このため、合焦点における像については、左遮光画素における像と、右遮光画素における像とが一致するが、合焦点からずれた像については、それぞれの像との間に焦点距離のずれ量に応じた位相差が生じる。そこで、この位相差に基づいて、焦点距離のずれ量を求めて、焦点調整を行うようにすることで高速に焦点調整を行うことができる。
【００３３】
ZAF画素は、例えば、図２で示されるように配置されている。図２は、有効画素領域内の画素配列例を示している。図２においては、各マス目が画素を表しており、白色のマス目が通常のRGB画素であり、左右のいずれか半分の領域に斜線部で示される遮光部が設けられたマス目がZAF画素である。このようにZAF画素は、垂直方向に３ライン間隔と５ライン間隔とで交互に配置され、かつ、水平方向に８画素間隔で配置されている。このため、図２の例においては、ZAF画素の画素数は、有効画素領域の全画素数に対して、水平方向に１／８の画素数とされ、垂直方向に１／４の画素数とされる。したがって、図２の例においては、ZAF画素の画素数は、有効画素領域の全画素数に対して１／３２となる。
【００３４】
次に、図１の伝送システムにおける伝送部２１および受信部２２の構成について説明する。
【００３５】
伝送部２１は、MSA生成部４１、SDP生成部４２、および多重化部４３を備えている。
【００３６】
MSA生成部４１は、伝送しようとする、有効画素データからなる画像データ（可視画像データ）の１フレーム当たりのライン数および１ライン当たりの画素数、並びに１画素当たりのビット数等の画像特性情報であるMSA（Main Stream Attributes）を生成して多重化部４３に供給する。尚、MSAについては、図８乃至図１０を参照して詳細を後述する。
【００３７】
SDP生成部４２は、ZAF画素データを、SDP（Secondary-data Packet）と呼ばれる、有効画素領域以外の水平ブランキング領域および垂直ブランキング領域にパケット化して伝送するためのフォーマットからなるパケットを生成して多重化部４３に供給する。尚、SDPについては、図３乃至図７を参照して詳細を後述する。
【００３８】
多重化部４３は、MSA生成部４１より供給されてくるMSA、SDP生成部４２より供給されてくるSDP、および入力される有効画素データからなる画像データ（可視画像データ）を多重化し、多重化データとして出力する。
【００３９】
受信部２２は、分割部６１、MSA読取部６２、SDP読取部６３、および画像生成部６４を備えている。分割部６１は、伝送部２１より送信されてくる多重化データを、MSA、SDP、および可視画像データに分割し、MSAをMSA読取部６２に、SDPをSDP読取部６３、可視画像データを画像生成部６４にそれぞれ供給する。
【００４０】
MSA読取部６２は、供給されたMSAに基づいて、可視画像データの１フレーム当たりのライン数および１ライン当たりの画素数、並びに１画素当たりのビット数の情報を読取り、読み取った情報を画像生成部６４に供給する。
【００４１】
SDP読取部６３は、SDPを読取り、パケット化されているZAF画像データを抽出して出力する。
【００４２】
画像生成部６４は、可視画像データを取得すると共に、MSAの情報に基づいて、可視画像を再構成して出力する。
【００４３】
＜SDP（Secondary-data Packet）について＞
次に、SDPについて説明する。
【００４４】
SDPは、各フレームについて、水平ブランキング領域と垂直ブランキング領域とを利用して、可視画像データ（有効画素データ）以外のデータをパケット化して送信するものである。また、SDPには、位相検出画像情報パケット、および位相検出画像データパケットの２種類がある。
【００４５】
位相検出画像情報パケットは、ZAF画像データの１フレームあたりのライン数および１ライン当たりの画素数、１画素当たりのビット数、並びに１のZAF画素データ当たりの画素数の情報を含むパケットである。
【００４６】
また、位相検出画像データパケットは、複数のZAF画素データそのものを構成するものである。
【００４７】
位相検出画像情報パケット、および位相検出画像データパケットは、１フレームの画像内において、例えば、図３で示されるように配置されるパケット化されたデータである。
【００４８】
尚、図３においては、右下部で示される（（有効画素数（Ｈｗｉｄｔｈ）：Ｘ）×（有効ｌｉｎｅ数（Ｖｈｅｉｇｈｔ）：Ｙ））の領域が有効画素領域７１である。また、有効画素領域７１内におけるラインＬ１乃至Ｌ１５は、ZAF画素が存在するラインであり、各ラインの間隔は、図２と同様であれば、例えば、ラインＬ１とＬ２との間隔が５ラインであり、ラインＬ２とＬ３との間隔が３ラインとなり、以降、３ラインと５ラインとが交互に繰り返される間隔となる。
【００４９】
有効画素領域７１の上部には、垂直ブランキング領域（Ｖｂｌａｎｋ）７２が設けられており、この中にMSA８１とSDPのうちの位相検出画像情報パケット８２が配置されている。
【００５０】
また、有効画素領域７１の左側には、水平ブランキング領域（Ｈｂｌａｎｋ）７３が設けられており、有効画素領域７１におけるZAF画素が存在する各ラインの１ライン下に位相検出画像データパケット８３−１乃至８３−１５が配置されている。従って、位相検出画像データパケット８３−１乃至８３−１５が配置されるラインについても、垂直方向に対して３ライン及び５ラインの交互の間隔で配置される。尚、位相検出画像データパケット８３−１乃至８３−１５を特に区別する必要が無い場合、単に、位相検出画像データパケット８３と称するものとし、その他の構成についても同様に称するものとする。
【００５１】
従って、図３においては、位相検出画像データパケット８３は、水平ブランキング領域（Ｈｂｌａｎｋ）７３において１／４程度しか使用しないことになる。そこで、各位相検出画像データパケット８３を４分割して、位相検出画像データパケット８３が配置されていないラインに折り返して配置するようにすることで、例えば、図４で示されるように配置することができる。このような配置とすることにより、位相検出画像データパケット８３に必要とされる水平ブランキング領域（Ｈｂｌａｎｋ）７３は、水平方向に対して１／４にすることが可能となる。
【００５２】
＜位相検出画像情報パケットの構成について＞
次に、図５を参照して、位相検出画像情報パケット８２の構成について説明する。DisplayPort（商標）で規定されるSDPのパケットヘッダは、図５の上段で示されるＨＢ０乃至ＨＢ３の４バイトから構成されている。先頭の１バイトであるＨＢ０には、扱っている位相検出画像を識別する情報が記録される。このため、同じ位相検出画像である場合については、同じ値が用いられる。
【００５３】
２バイト目であるＨＢ１には、パケットタイプ（Secondary-data Packet type）を示す情報が記録される。このＨＢ１には、予めディスプレイタイプを特定するため、００ｈ乃至０７ｈについては、所定のディスプレイタイプが設定されているが、ｈ０８乃至０Ｆｈは未設定（DisplayPort RESERVED）とされている。そこで、この未設定の０８ｈ乃至０Ｆｈのいずれかに位相検出画像情報パケットを示す情報を割り当てるようにする。例えば、０８ｈを位相検出画像情報パケットを示す情報として割り当てるようにしてもよい。
【００５４】
３，４バイト目であるＨＢ２，ＨＢ３は、未使用（Reserved（all 0））とされている。
【００５５】
位相検出画像情報パケットのデータパケットは、図５の下部で示されるように先頭バイトであるＤＢ０には、位相検出画像データの１Ｖ当たりのライン数の下位８ビットの情報が記録される。また、２バイト目のＤＢ１には、位相検出画像データの１Ｖ当たりのライン数の上位８ビットの情報が記録される。ここでいう１Ｖあたりのライン数とは、例えば、図３におけるラインＬ１乃至Ｌ１５のライン数である。
【００５６】
３バイト目であるＤＢ２には、位相検出画像データの１Ｈ当たりの画素（pixel）数の下位８ビットの情報が記録される。また、４バイト目のＤＢ３には、位相検出画像データの１Ｖ当たりの画素（pixel）数の上位８ビットの情報が記録される。ここでいう１Ｈあたりの画素数とは、例えば、図３におけるラインＬ１乃至Ｌ１５のそれぞれに含まれる位相検出画素の画素数である。
【００５７】
５バイト目であるＤＢ４には、位相検出画像データパケットの１パケット当たりの画素（pixel）数の下位８ビットの情報が記録される。また、６バイト目のＤＢ５には、位相検出画像データパケットの１パケット当たりの画素（pixel）数の上位８ビットの情報が記録される。
【００５８】
７バイト目であるＤＢ６には、位相検出画像データパケットの１画素（pixel）当たりのビット数の情報が記録される。また、８乃至１６バイト目のＤＢ７乃至ＤＢ１５は、未使用領域（Reserved（all 0））とされている。
【００５９】
＜伝送形式＞
次に、図６を参照して、SDPの伝送時のフォーマットについて説明する。尚、この例においては、４レーンの場合について説明するものとするが、その他のレーン数であってもよいものである。
【００６０】
図６においては、左から右に向かってレーン０（Ｌａｎｅ０）乃至レーン３（Ｌａｎｅ３）について上から下に向かって時系列に配置されるデータの伝送形式が示されている。SDPの開始を示すＳＳの下にレーン０からレーン３に向かって、ヘッダＨＢ０乃至ＨＢ３が構成され、各レーンについて１バイトずつが配置される。
【００６１】
図中のヘッダＨＢ０乃至ＨＢ３の下には、パリティ（ｐａｒｉｔｙ）ＰＢ０乃至ＰＢ３が構成されており、レーン０からレーン３に向かって各レーンについて１バイトずつ配置される。
【００６２】
図中のパリティＰＢ０乃至ＰＢ３の下には、各レーンについて、下方向に向かってデータＤＢ０乃至ＤＢ１５が４バイトずつ配置され、合計１６バイトが配置される。すなわち、レーン０については、データＤＢ０乃至ＤＢ３が、レーン１については、データＤＢ４乃至ＤＢ７が、レーン２については、ＤＢ８乃至ＤＢ１１が、レーン３については、ＤＢ１２乃至ＤＢ１５が配置される。
【００６３】
図中の各レーンのデータＤＢ０乃至ＤＢ１５の下には、パリティ（ｐａｒｉｔｙ）ＰＢ４乃至ＰＢ７が構成されており、レーン０からレーン３に向かって各レーンについて１バイトずつ配置される。
【００６４】
さらに、図中のパリティＰＢ４乃至ＰＢ７の下のレーン０乃至２については、下方向に向かって４バイトずつデータＤＢ１６乃至ＤＢ２７が配置される。すなわち、レーン０については、データＤＢ１６乃至ＤＢ１９が、レーン１については、ＤＢ２０乃至ＤＢ２３が、レーン２については、ＤＢ２４乃至ＤＢ２７が下方向に向かって配置される。尚、伝送すべきデータが２８バイトであるため、レーン３については、All 0sとされ、ブランクにされている。
【００６５】
さらに、各レーンのデータの下には、パリティ（ｐａｒｉｔｙ）ＰＢ８乃至ＰＢ１１が構成されており、レーン０からレーン３に向かって各レーンについて１バイトずつ配置される。最下段には、各レーンについてSDPの終了を示すＳＥが配置される。
【００６６】
このようにデータ１６バイトについて、４バイトのパリティが付されて転送される。
【００６７】
＜位相検出画像データパケットの構成例＞
次に、図７を参照して、位相検出画像データパケットの構成例について説明する。尚、位相検出画像データパケットのパケットヘッダについては、図７の上段で示されるように、図５を参照して説明した位相検出画像情報パケットと同様の構成とされる。ただし、２バイト目であるヘッダＨＢ１の、ディスプレイタイプを示す情報についてはｈ０８乃至０Ｆｈの未設定（DisplayPort RESERVED）の値のいずれかを割り当てる。例えば、０９ｈを位相検出画像データパケットを示す情報として割り当てるようにしてもよい。
【００６８】
位相検出画像データパケットのデータパケットは、データＤＢ０乃至ＤＢ１５に順次ZAF画素データが格納される。
【００６９】
例えば、図７の中段で示されるように、図中の左から0番目のビット乃至9番目のビットまでのデータからなる１０ビットのZAF画素データAF0［9:0］乃至AF15［9:0］・・・が構成される場合、図７の下段で示されるように、８ビットずつデータＤＢ０乃至ＤＢ１５に割り当てられて、転送される。尚、図７の下段においては、４レーンで転送される際のデータ配置が示されており、上からレーン（Ｌａｎｅ）０乃至レーン（Ｌａｎｅ）３のデータ配置が示されている。尚、［9:0］は、先頭ビット（０）から１０ビット目（９）までを示している。
【００７０】
すなわち、レーン０においては、図中左から右に向かって、先頭の１バイトのデータＤＢ０には、先頭のZAF画素データAF0［9:0］のうちの、AF1［9:2］が割り当てられている。
【００７１】
レーン０の２番目の１バイトのデータＤＢ１には、先頭のZAF画素データAF0［9:0］のうちの、AF0［1:0］と、５番目のZAF画素データAF4［9:0］のうちの、AF4［9:4］とからなる８ビットが割り当てられている。
【００７２】
レーン０の３番目の１バイトのデータＤＢ２には、５番目のZAF画素データAF4［9:0］のうちの、AF4［3:0］と、９番目のZAF画素データAF8［9:0］のうちの、AF8［9:6］とからなる８ビットが割り当てられている。
【００７３】
レーン０の４番目の１バイトのデータＤＢ３には、９番目のZAF画素データAF8［5:0］と、１３番目のZAF画素データAF12［9:8］とからなる８ビットが割り当てられている。
【００７４】
レーン０の５番目の１バイトのデータＤＢ１６には、１３番目のZAF画素データAF12［7:0］の８ビットが割り当てられている。
【００７５】
また、レーン１においては、先頭の１バイトのデータＤＢ４には、２番目のZAF画素データAF1［9:2］の８ビットが割り当てられている。
【００７６】
レーン１の２番目の１バイトのデータＤＢ５には、２番目のZAF画素データAF1［1:0］と、６番目のZAF画素データAF5［9:4］とからなる８ビットが割り当てられている。
【００７７】
レーン１の３番目の１バイトのデータＤＢ６には、６番目のZAF画素データAF5［3:0］と、１０番目のZAF画素データAF9［9:6］とからなる８ビットが割り当てられている。
【００７８】
レーン１の４番目の１バイトのデータＤＢ７には、１０番目のZAF画素データAF9［5:0］と、１４番目のZAF画素データAF13［9:8］とからなる８ビットが割り当てられている。
【００７９】
レーン１の５番目の１バイトのデータＤＢ２０には、１４番目のZAF画素データAF13［7:0］とからなる８ビットが割り当てられている。
【００８０】
さらに、レーン２においては、先頭の１バイトのデータＤＢ８には、３番目のZAF画素データAF2［9:2］の８ビットが割り当てられている。
【００８１】
レーン２の２番目の１バイトのデータＤＢ９には、３番目のZAF画素データAF2［1:0］と、７番目のZAF画素データAF6［9:4］とからなる８ビットが割り当てられている。
【００８２】
レーン２の３番目の１バイトのデータＤＢ６には、７番目のZAF画素データAF6［3:0］と、１１番目のZAF画素データAF10［9:6］とからなる８ビットが割り当てられている。
【００８３】
レーン２の４番目の１バイトのデータＤＢ１１には、１１番目のZAF画素データAF10［5:0］と、１５番目のZAF画素データAF14［9:8］とからなる８ビットが割り当てられている。
【００８４】
レーン２の５番目の１バイトのデータＤＢ２４には、１５番目のZAF画素データAF14［7:0］の８ビットが割り当てられている。
【００８５】
また、レーン３においては、先頭の１バイトのデータＤＢ１２には、４番目のZAF画素データAF3［9:2］の８ビットが割り当てられている。
【００８６】
レーン３の２番目の１バイトのデータＤＢ１３には、４番目のZAF画素データAF3［1:0］と、８番目のZAF画素データAF7［9:4］とからなる８ビットが割り当てられている。
【００８７】
レーン３の３番目の１バイトのデータＤＢ１４には、８番目のZAF画素データAF7［3:0］と、１２番目のZAF画素データAF11［9:6］とからなる８ビットが割り当てられている。
【００８８】
レーン３の４番目の１バイトのデータＤＢ１５には、１２番目のZAF画素データAF11［5:0］と、１６番目のZAF画素データAF15［9:8］とからなる８ビットが割り当てられている。
【００８９】
レーン３の５番目の１バイトのデータＤＢ２８には、１６番目のZAF画素データAF15［7:0］の８ビットが割り当てられている。
【００９０】
尚、伝送形式は、図６を参照して説明した位相情報画像情報パケットと同様であるので、その説明は省略するものとする。
【００９１】
すなわち、SDPに基づくフォーマットを利用することにより、ZAF画素データをパケット化して送受信することが可能となる。
【００９２】
＜MSAについて＞
次に、図８乃至図１０を参照して、MSAについて説明する。
【００９３】
MSAは、伝送時には、図８で示されるような配置とされる。図８においては、４レーンである場合のMSAの配置例が示されており、左からレーン０（Ｌａｎｅ０）乃至レーン３（Ｌａｎｅ３）が示されており、上から下方向に時系列に配置されている。
【００９４】
各レーンについて、MSAの開始を示すＳＳが２回連続して配置される。
【００９５】
次に、各レーンについて、上から同一のビデオストリームのクロック周波数を示すＭｖｉｄ２３：１６、Ｍｖｉｄ１５：８、Ｍｖｉｄ７：０が１バイトずつ配置される。ここで、Ｍｖｉｄは、ビデオストリームのクロック周波数の情報であり、Ｍｖｉｄ２３：１６は、ビデオストリームのクロック周波数の１６乃至２３ビット目の情報である。また、Ｍｖｉｄ１５：８は、ビデオストリームのクロック周波数の８乃至１５ビット目の情報である。さらに、Ｍｖｉｄ７：０は、ビデオストリームのクロック周波数の０乃至７ビット目の情報である。
【００９６】
Ｌａｎｅ０については、Ｍｖｉｄの下に、Ｈｔｏｔａｌ１５：８、Ｈｔｏｔａｌ７：０がそれぞれ１バイトずつ配置される。Ｈｔｏｔａｌは、図９の上段で示されるように有効画素領域７１と水平ブランキング領域７３とを加算した水平方向の画素数である。Ｈｔｏｔａｌ１５：８、Ｈｔｏｔａｌ７：０は、それぞれＨｔｏｔａｌの８乃至１５ビット目の情報、および０乃至７ビット目の情報である。
【００９７】
Ｌａｎｅ０について、Ｈｔｏｔａｌの下に、Ｖｔｏｔａｌ１５：８、Ｖｔｏｔａｌ７：０がそれぞれ１バイトずつ配置される。Ｖｔｏｔａｌは、図９の上段で示されるように有効画素領域７１の有効ライン数と、垂直ブランキング領域７２とを加算した垂直方向のライン数である。Ｖｔｏｔａｌ１５：８、Ｖｔｏｔａｌ７：０は、それぞれＶｔｏｔａｌの８乃至１５ビット目の情報、および０乃至７ビット目の情報である。
【００９８】
Ｌａｎｅ０について、Ｖｔｏｔａｌの下に、ＨＳＰ／ＨＳＷ１４：８、ＨＳＷ７：０がそれぞれ１バイトずつ配置される。ＨＳＰは、Ｈｓｙｎｃ（水平同期信号）の極性を示す１ビットの情報であり、図９の中段で示されるようにactive highが０であり、active lowが１である。また、ＨＳＷは、Ｈｓｙｎｃのパルス幅を示している。ＨＳＰ／ＨＳＷ１４：８は、ＨＳＰの１ビット分の情報と、ＨＳＷの８乃至１４ビット目の情報であり、ＨＳＷ７：０は、ＨＳＷの０乃至７ビット目の情報である。
【００９９】
Ｌａｎｅ１について、Ｍｖｉｄの下に、Ｈｓｔａｒｔ１５：８、Ｈｓｔａｒｔ７：０がそれぞれ１バイトずつ配置される。Ｈｓｔａｒｔは、図９の下段で示されるように、前のラインの最後のデータ（前ｌｉｎｅの最後のｄａｔａ）が終了したタイミングからＨｓｙｎｃが立ち上がるタイミングまでの時間を画素数で規定したものである。Ｈｓｔａｒｔ１５：８、Ｈｓｔａｒｔ７：０は、それぞれＨｓｔａｒｔの８乃至１５ビット目の情報、および０乃至７ビット目の情報である。
【０１００】
Ｌａｎｅ１について、Ｈｓｔａｒｔの下に、Ｖｓｔａｒｔ１５：８、Ｖｓｔａｒｔ７：０がそれぞれ１バイトずつ配置される。Ｖｓｔａｒｔは、図９の中段で示されるように、前のフレームの最後のＨｓｙｎｃ（前ｆｒａｍｅの最後のＨ）が立ち上がったタイミングからＶｓｙｎｃ（垂直同期信号）が立ち上がるタイミングまでの時間をライン数で規定したものである。Ｖｓｔａｒｔ１５：８、Ｖｓｔａｒｔ７：０は、それぞれＶｓｔａｒｔの８乃至１５ビット目の情報、および０乃至７ビット目の情報である。
【０１０１】
Ｌａｎｅ１について、Ｖｓｔａｒｔの下に、ＶＳＰ／ＶＳＷ１４：８、ＶＳＷ７：０がそれぞれ１バイトずつ配置される。ＶＳＰは、Ｖｓｙｎｃ（垂直同期信号）の極性を示す１ビットの情報であり、図９の中段で示されるようにactive highが０であり、active lowが１である。また、ＶＳＷは、Ｖｓｙｎｃのパルス幅を示している。ＶＳＰ／ＶＳＷ１４：８は、ＶＳＰの１ビット分の情報と、ＶＳＷの８乃至１４ビット目の情報であり、ＶＳＷ７：０は、ＶＳＷの０乃至７ビット目の情報である。
【０１０２】
一方、Ｌａｎｅ２については、Ｍｖｉｄの下に、Ｈｗｉｄｔｈ１５：８、Ｈｗｉｄｔｈ７：０がそれぞれ１バイトずつ配置される。Ｈｗｉｄｔｈは、図９の上部で示されるように有効画素領域７１の水平方向の画素数である。Ｈｗｉｄｔｈ５：８、Ｈｗｉｄｔｈ７：０は、それぞれＨｗｉｄｔｈの８乃至１５ビット目の情報、および０乃至７ビット目の情報である。
【０１０３】
Ｌａｎｅ２については、Ｈｗｉｄｔｈの下に、Ｖｈｅｉｇｈｔ１５：８、Ｖｈｅｉｇｈｔ７：０がそれぞれ１バイトずつ配置される。Ｖｈｅｉｇｈｔは、図９の上部で示されるように有効画素領域７１の垂直方向のライン数である。Ｖｈｅｉｇｈｔ５：８、Ｖｈｅｉｇｈｔ７：０は、それぞれＨｈｅｉｇｈｔの８乃至１５ビット目の情報、および０乃至７ビット目の情報である。尚、Ｌａｎｅ２については、Ｖｈｅｉｇｈｔの下の２バイトはブランク（All 0s）とされている。
【０１０４】
Ｌａｎｅ３について、Ｍｖｉｄの下に、Ｎｖｉｄ２３：１６、Ｎｖｉｄ１５：８、Ｎｖｉｄ７：０がそれぞれ上から１バイトずつ配置される。Ｎｖｉｄは、リンククロック周波数である。Ｎｖｉｄ２３：１６、Ｎｖｉｄ１５：８、Ｎｖｉｄ７：０は、それぞれＮｖｉｄの２３乃至１６ビット目の情報、８乃至１５ビット目の情報、および０乃至７ビット目の情報である。
【０１０５】
尚、Ｖｉｄｅｏ  Ｓｔｒｅａｍ  ｃｌｏｃｋ［Ｍｚ］＝Ｍｖｉｄ／Ｎｖｉｄ×Ｌｉｎｋ  ｃｌｏｃｋ［Ｍｚ］となる。
【０１０６】
Ｌａｎｅ３について、Ｎｖｉｄの下には、ＭＩＳＣ０＿７：０、ＭＩＳＣ１＿７：０がそれぞれ上から１バイトずつ配置される。ＭＩＳＣ０＿７：０、ＭＩＳＣ１＿７：０は、エンコードフォーマットの情報である。
【０１０７】
＜ＭＩＳＣで示されるエンコードフォーマットについて＞
ＭＩＳＣ０＿７：０、ＭＩＳＣ１＿７：０は、例えば、図１０で示されるようなエンコードフォーマットの情報を記録する。
【０１０８】
すなわち、図１０の上段の最上段で示されるように、ＭＩＳＣ１の７ビット目が０であって、ＭＩＳＣ０の１乃至４ビット目が００００の場合、フォーマットがRGB unspecified color space（legacy RGB mode）であることを表す。さらに、ＭＩＳＣ０の５乃至７ビット目が、０００、００１、０１０、０１１、１００である場合、それぞれ６，８，１０，１２，１６ビットカラーであることを表す。
【０１０９】
図１０の上段の２段目で示されるように、ＭＩＳＣ１の７ビット目が０であって、ＭＩＳＣ０の１乃至４ビットが００１０の場合、フォーマットがCEA RGB（sRGB primaries）であることを表す。さらに、ＭＩＳＣ０の５乃至７ビットが、０００、００１、０１０、０１１、１００である場合、それぞれ６，８，１０，１２，１６ビットカラーであることを表す。
【０１１０】
図１０の上段の３段目で示されるように、ＭＩＳＣ１の７ビット目が０であって、ＭＩＳＣ０の１乃至４ビットが１１００の場合、フォーマットがRGB wide gamut fixed point（XR8,XR10,XR12）であることを表す。さらに、ＭＩＳＣ０の５乃至７ビットが、００１、０１０、０１１である場合、それぞれ８，１０，１２ビットカラーであることを表す。
【０１１１】
図１０の上段の４段目で示されるように、ＭＩＳＣ１の７ビット目が０であって、ＭＩＳＣ０の１乃至４ビットが１１０１の場合、フォーマットがRGB wide gamut fixed point（scRGB）であることを表す。さらに、ＭＩＳＣ０の５乃至７ビットが、１００である場合、１６ビットカラーであることを表す。
【０１１２】
図１０の上段の５段目で示されるように、ＭＩＳＣ１の７ビット目が１であって、ＭＩＳＣ０の１乃至４ビットが００００の場合、フォーマットがY-only（輝度のみ）であることを表す。さらに、ＭＩＳＣ０の５乃至７ビットが、００１、０１０、０１１、１００である場合、それぞれ８，１０，１２，１６ビット階調であることを表す。
【０１１３】
図１０の上段の６段目で示されるように、ＭＩＳＣ１の７ビット目が０であって、ＭＩＳＣ０の１，２ビット目が０１または１０であり、３ビット目が１であり、４ビット目が０または１であるとき、YCbCr（ITU601/ITU709）であることを表す。また、このとき、１，２ビット目が０１のとき、４２２フォーマットであり、１０のとき４４４フォーマットである。さらに、このとき、４ビット目が０であれば、YCbCr（ITU601）であり、４ビット目が１であれば、YCbCr（ITU709）であることを表す。また、ＭＩＳＣ０の５乃至７ビットが、００１、０１０、０１１、１００である場合、それぞれ８，１０，１２，１６ビットカラーであることを表す。
【０１１４】
図１０の上段の７段目で示されるように、ＭＩＳＣ１の７ビット目が０であって、ＭＩＳＣ０の１，２ビット目が０１または１０であり、３ビット目が０であり、４ビット目が０または１の場合、xvYCC（xvYCC601/ xvYCC709）であることを表す。このとき、１，２ビット目が０１のとき４２２フォーマットであり、１０の場合４４４フォーマットである。また、４ビット目が０であれば、xvYCC（xvYCC601）であり、４ビット目が１であれば、xvYCC（xvYCC709）であることを表す。さらに、ＭＩＳＣ０の５乃至７ビットが、００１、０１０、０１１、１００である場合、それぞれ８，１０，１２，１６ビットカラーであることを表す。
【０１１５】
図１０の上段の８段目で示されるように、ＭＩＳＣ１の７ビット目が０であって、ＭＩＳＣ０の１乃至４ビット目が００１１の場合、Adobe（商標）RGBであることを表す。さらに、ＭＩＳＣ０の５乃至７ビットが、０００、００１、０１０、０１１、１００である場合、それぞれ６，８，１０，１２，１６ビットカラーであることを表す。
【０１１６】
図１０の上段の９段目で示されるように、ＭＩＳＣ１の７ビット目が０であって、ＭＩＳＣ０の１乃至４ビット目が１１１０の場合、DCI-P3であることを表す。さらに、ＭＩＳＣ０の５乃至７ビットが、０１１、１００である場合、それぞれ１２，１６ビットカラーであることを表す。
【０１１７】
図１０の上段の１０段目で示されるように、ＭＩＳＣ１の７ビット目が０であって、ＭＩＳＣ０の１乃至４ビット目が１１１１の場合、Color Profileであることを表す。さらに、ＭＩＳＣ０の５乃至７ビットが、００１、０１０、０１１、１００である場合、それぞれ８，１０，１２，１６ビットカラーであることを表す。
【０１１８】
図１０の下段の最上段で示されるように、ＭＩＳＣ０の０ビット目は、ビデオストリームクロックとリンククロックとの（Ｖｉｄｅｏ  Ｓｔｒｅａｍ＿Ｃｌｋ／ＬＳ＿ＣＬＫ）同期フラグであり、０が非同期を表しており、１が同期を表している。同期の場合、Ｍｖｉｄは固定値となる。
【０１１９】
図１０の下段の２段目で示されるように、ＭＩＳＣ１の０ビット目は、インタレース（Interlace）の場合のＶｔｏｔａｌ数が偶数であるか否かを示す偶数フラグであり、１が偶数を、０が奇数をそれぞれ表している。
【０１２０】
図１０の下段の３段目で示されるように、ＭＩＳＣ１の１乃至２ビット目は、ステレオビデオ（3D）特性を表しており、００が非ステレオかSDPのビデオストリームコンフィギュレーション（VSC）を利用してステレオ画像を送信することを表している。また、ＭＩＳＣ１の１乃至２ビット目が０１である場合、次のフレームがプログレッシブの右目画像（RIGHT_EYE@Side-by-Side, progressive）であることを表している。このとき、トップ画像がインタレースの右目画像（RIGHT_EYE@Top, interlace）であり、ボトム画像がインタレースの左目画像（LEFT_EYE@Bottom, interlace）を表している。また、ＭＩＳＣ１の１乃至２ビット目が１０である場合、未設定であり（Reserved）、１１の場合、次のフレームがプログレッシブの左目画像（LEFT_EYE@Side-by-Side, progressive）であることを表しており、トップ画像がインタレースの左目画像（LEFT_EYE@Top, interlace）であり、ボトム画像がインタレースの右目画像（RIGHT_EYE@Bottom, interlace）であることを表している。
【０１２１】
尚、ＭＩＳＣ１の４乃至６ビット目は、未設定（Reserved）とされている。このため、ＭＩＳＣ１の４乃至６ビット目に、例えば、送信元を特定するのに必要とされる情報を付加するようにしてもよい。
【０１２２】
このようにすることで、ZAF画像データを含む可視画像データの送信元の機器を特定させることが可能となり、例えば、画像の送信元がイメージセンサであることを示した情報を含めるようにすることで、送信元が撮像機器などのイメージセンサであることなどを認識させるようにすることができる。
【０１２３】
＜送受信処理＞
次に、図１１のフローチャートを参照して、図１の伝送システムにおける送受信処理について説明する。
【０１２４】
ステップＳ１１において、MSA生成部４１は、送信しようとする可視画像データの、位相検出画像データの１フレーム当たりのライン数および１ライン当たりの画素数、並びに１画素当たりのビット数の情報からなる、上述したMSAを生成して多重化部４３に供給する。
【０１２５】
ステップＳ１２において、SDP生成部４２は、ZAF画像データに基づいて、上述したSDPを生成する。すなわち、上述したSDPにおける位相検出画像情報パケットおよび位相検出画像データパケットを生成する。
【０１２６】
ステップＳ１３において、多重化部４３は、MSA、SDP、および可視画像データを多重化して多重化データを生成し、
【０１２７】
ステップＳ１４において、多重化部４３は、受信部２２に送信する。
【０１２８】
ステップＳ１５において、送信部２１は、次の画像信号がなく終了が指示されているか否かを判定し、終了が指示されていない場合、処理は、ステップＳ１１に戻り、それ以降の処理が繰り返される。そして、ステップＳ１５において、終了が指示された場合、処理は終了する。
【０１２９】
一方、受信部２２では、ステップＳ３１において、分割部６１は、多重化データを受信する。
【０１３０】
ステップＳ３２において、分割部６１は、多重化データをMSA、SDP、および可視画像データのそれぞれに分割して、MSAをMSA読取部６２に、SDPをSDP読取部６３に供給し、可視画像データを画像生成部６４に供給する。
【０１３１】
ステップＳ３３において、MSA読取部６２は、MSAの情報より、可視画像データの１フレーム当たりのライン数および１ライン当たりの画素数、並びに１画素当たりのビット数の情報を読み取り画像生成部６４に供給する。
【０１３２】
ステップＳ３４において、SDP読取部６３は、SDPの位相検出画像情報パケットおよび位相検出画像データパケットを読み取り、位相検出画像情報パケットの情報に基づいて、位相検出画像データよりZAF画像データを抽出して出力する。
【０１３３】
ステップＳ３５において、画像生成部６４は、MSAに基づいて可視画像データより可視画像を再構成して出力する。
【０１３４】
ステップＳ３６において、受信部２２は、次の画像信号がなく終了が指示されているか否かを判定し、終了が指示されていない場合、処理は、ステップＳ３１に戻り、それ以降の処理が繰り返される。そして、ステップＳ３６において、終了が指示された場合、処理は終了する。
【０１３５】
以上の処理により、SDPが利用されて、ZAF画像データがパケット化されることにより、可視画像データを送信すると共に、水平ブランキング領域および垂直ブランキング領域にパケット化されたZAF画像データを付加して送信することが可能となる。
【０１３６】
＜２．第２の実施の形態＞
＜Virtual Channelを利用した伝送システムの構成例＞
以上においては、SDPを利用してZAF画像データを、可視画像データと共に送信する例について説明してきたが、例えば、DisplayPort（商標）に規定されるVirtual Channelのフォーマットを利用して送信するようにしても良い。
【０１３７】
図１２は、Virtual Channelのフォーマットを利用して、ZAF画像データを、可視画像データと共に送信するようにした伝送システムの構成例を示している。
【０１３８】
ここでVirtual Channelとは、１の伝送路で複数のストリームを、複数のストリームソースから複数のストリームシンクに伝送する方式である。図１２の伝送システムは、複数のストリームソースの１に可視画像データと、ZAF画素データからなる、ZAF画像データのストリームとを設定することにより、Virtual Channelを利用して、可視画像データからなるストリームと共に送信する。
【０１３９】
より具体的には、図１２の伝送システムは、伝送部１２１および受信部１２２を備えている。
【０１４０】
伝送部１２１は、ストリーム伝送処理部１４１−１乃至１４１−ｎおよびストリーム伝送処理部１４２を備えている。
【０１４１】
また、ストリーム伝送処理部１４１−１乃至１４１−ｎは、MSA生成部１６１、SDP生成部１６２、および多重化部１６３を備えており、可視画像データからなるストリームデータを生成して多重化部１４３に出力する。尚、MSA生成部１６１、SDP生成部１６２、および多重化部１６３の機能については、図１を参照して説明したMSA生成部４１、SDP生成部４２、および多重化部４３と基本的な機能は同一であるので、その説明は省略する。ただし、この例においては、SDP生成部１６２は、機能しない。
【０１４２】
さらに、ストリーム伝送処理部１４２は、MSA生成部１８１、SDP生成部１８２、および多重化部１８３を備えており、ZAF画素データより構成されるZAF画像データからなるストリームデータを生成して多重化部１４３に出力する。尚、MSA生成部１８１、SDP生成部１８２、および多重化部１８３の機能については、図１を参照して説明したMSA生成部４１、SDP生成部４２、および多重化部４３と基本的な機能は同一であるので、その説明は省略する。ただし、この例においては、SDP生成部１８２は、機能しない。
【０１４３】
多重化部１４３は、複数のストリーム伝送処理部１４１−１乃至１４１−ｎより供給されてくる可視画像データからなるストリームデータと、ストリーム伝送処理部１４２より供給されるZAF画像データからなるストリームデータとを時分割多重化した多重化データを受信部１２２に送信する。
【０１４４】
受信部１２２は、分割部２０１、ストリーム受信処理部２０２−１乃至２０２−ｎ、およびストリーム受信処理部２０３を備えている。
【０１４５】
分割部２０１は、伝送部１２１より送信されてくる多重化データを、複数の可視画像データからなる複数のストリームデータと、ZAF画像データからなるストリームデータとに分割して、分割した可視画像データからなるストリームデータをストリーム受信処理部２０２−１乃至２０２−ｎに供給し、ZAF画像データからなるストリームデータをストリーム受信処理部２０３に供給する。
【０１４６】
ストリーム受信処理部２０２−１は、分割部２３１、MSA読取部２３２、SDP読取部２３３、および画像生成部２３４を備えており、複数の可視画像データからなるストリームデータより可視画像データを生成して出力する。尚、分割部２３１、MSA読取部２３２、SDP読取部２３３、および画像生成部２３４については、図１を参照して説明した、分割部６１、MSA読取部６２、SDP読取部６３、および画像生成部６４と基本的な機能は同一であるので、その説明は省略するものとする。ただし、ここでは、SDP読取部２３３については、機能しない。
【０１４７】
ストリーム受信処理部２０２−２は、分割部２５１、MSA読取部２５２、SDP読取部２５３、および画像生成部２５４を備えており、ZAF画像データからなるストリームデータよりZAF画像を生成して出力する。尚、分割部２５１、MSA読取部２５２、およびSDP読取部２５３については、図１を参照して説明した、分割部６１、MSA読取部６２、SDP読取部６３、および画像生成部６４と基本的な機能は同一であるので、その説明は省略するものとする。ただし、ここでは、SDP読取部２５３については、機能しない。
【０１４８】
＜ZAF画像について＞
次に、Virtual Channelのフォーマットを利用するにあたって生成されるZAF画像について説明する。
【０１４９】
ZAF画像は、ZAF画素により構成される画像である。ZAF画像は、例えば、図３を参照して説明された位相検出画像データパケット８３−１乃至８３−１５を構成するZAF画素を垂直方向および水平方向に貼り合わせて構成される画像と実質的に同じ画像であり、図１３の左部で示されるような画像である。
【０１５０】
この場合、ZAF画像は、有効画素領域７１に対応するZAF画素領域２７１、垂直ブランキング領域７２に対応する垂直ブランキング領域２７２、および水平ブランキング領域７３に対応する水平ブランキング領域２７３より構成される。
【０１５１】
すなわち、図１３の左部におけるZAF画像のZAF画素領域２７１は、可視画像の有効画素領域７１に対して、垂直方向の有効ライン数については１／４となり、水平方向の有効画素数については１／８となる。
【０１５２】
図１２の伝送システムは、図１３で示されるように、有効画素データからなる可視画像データと、ZAF画素データからなるZAF画像との２種類の画像をそれぞれに設定した上で、それらを個別のストリームにした上で、Virtual Channelを利用して送信する。これによりZAF画素データと共に可視画像データが送信される。
【０１５３】
＜時分割多重化について＞
Virtual Channelを利用する場合、DisplayPort（商標）の規定によれば、タイムスロットを６３分割することができる。このため、例えば、図１３で示されるような可視画像データと、ZAF画像データとが送信される場合、双方の画素数の比で時分割多重化するとき、図１４で示されるように、可視画像データからなるストリームに対して３２タイムスロット（ｓｌｏｔ）を割り当てると、ZAF画素データからなるストリームに対しては１タイムスロットが割り当てられることになる。
【０１５４】
すなわち、Virtual Channelを利用することで、時分割多重化されて送信されることにより、１の伝送路で２のストリーム（可視画像のｓｔｒｅａｍとZAF画像のｓｔｒｅａｍ）を、２のストリームソース（可視画像のストリームソースとZAF画像のストリームソース）から２のストリームシンク（可視画像のストリームシンクとZAF画像のストリームシンク）に伝送する。結果として、可視画像データと共にZAF画像データを送信することが可能となる。
【０１５５】
尚、図１４においては、残りの３０スロットについては、ブランクとしてもよいし、他の画像からなるストリームを割り当てるようにしても良い。また、最大６３スロットを分割することが規定されているため、送受信可能なストリーム数は最大で６３個となり、少なくとも１のストリームをZAF画像データに割り当てるものとすれば、可視画像データを送受信するストリーム伝送処理部１４１−１乃至１４１−ｎ、およびストリーム受信処理部２０２−１乃至２０２−ｎは、ｎ＝６２が最大とされることになる。
【０１５６】
＜可視画像とZAF画像におけるMSAの比較＞
次に、図１５を参照して、可視画像とZAF画像におけるMSAの比較について説明する。尚、ここでは、ZAF画像における水平方向画素数および垂直方向画素数は、可視画像の水平方向画素数および垂直方向画素数に対する１／ｓ，１／ｔであるものとして説明する。また、図１５においては、可視画像については、Pictureと表記されており、ZAF画像についてはZAFと表記されている。
【０１５７】
図１５の最上段で示されるように、ビデオストリームクロック（Video Stream clock）周波数Ｍｖｉｄは、可視画像のビデオストリームクロック周波数がＭｖｉｄ＿Ｐである場合、ZAF画像のビデオストリームクロック周波数がＭｖｉｄ＿Ｐ／（ｓ×ｔ）となる。尚、図１５においては、「×」は、「＊」として表記されている。
【０１５８】
図１５の２段目で示されるように、リンククロック（Link clock）周波数Ｎｖｉｄは、可視画像のリンククロック周波数がＮｖｉｄ＿Ｐである場合、ZAF画像のリンククロック周波数がＮｖｉｄ＿Ｐとなり同一となる。
【０１５９】
図１５の３段目で示されるように、可視画像を構成する有効画素領域と水平ブランキング領域との水平方向の総画素数Ｈｔｏｔａｌは、可視画像がＨｔｏｔａｌ＿Ｐ（＝Ｘ＋Ｈｂｌａｎｋ）である場合、ZAF画像がＨｔｏｔａｌ＿Ｐ／ｓとなる。
【０１６０】
図１５の４段目で示されるように、垂直方向の可視画像と垂直ブランキング領域との総ライン数Ｖｔｏｔａｌは、可視画像がＶｔｏｔａｌ＿Ｐ（＝Ｙ＋Ｖｂｌａｎｋ）である場合、ZAF画像がＶｔｏｔａｌ＿Ｐ／ｔとなる。
【０１６１】
図１５の５段目で示されるように、水平方向の可視画像の総画素数Ｈｗｉｄｔｈは、可視画像がＨｗｉｄｔｈ＿Ｐ（＝Ｘ）である場合、ZAF画像がＨｗｉｄｔｈ＿Ｐ／ｓとなる。
【０１６２】
図１５の６段目で示されるように、垂直方向の可視画像の総画素数Ｖｈｅｉｇｈｔは、可視画像がＶｈｅｉｇｈｔ＿Ｐ（＝Ｙ）である場合、ZAF画像はＶｈｅｉｇｈｔ＿Ｐ／ｔとなる。
【０１６３】
図１５の７段目で示されるように、Ｈｓｙｎｃ（水平同期信号）の開始画素数Ｈｓｔａｒｔは、可視画像がＨｓｔａｒｔ＿Ｐである場合、ZAF画像がＣｅｉｌ（Ｈｓｔａｒｔ＿Ｐ／ｓ）となる。尚、Ｃｅｉｌ（Ａ）は、Ａの端数を切り上げる関数である。
【０１６４】
図１５の８段目で示されるように、Ｖｓｙｎｃ（垂直同期信号）の開始画素数Ｖｓｔａｒｔは、可視画像がＶｓｔａｒｔ＿Ｐである場合、ZAF画像がＣｅｉｌ（Ｖｓｔａｒｔ＿Ｐ／ｔ）となる。
【０１６５】
図１５の９段目で示されるように、Ｈｓｙｎｃのパルス幅ＨＳＷは、可視画像がＨＳＷ＿Ｐである場合、ZAF画像がＣｅｉｌ（ＨＳＷ＿Ｐ／ｓ）となる。
【０１６６】
図１５の１０段目で示されるように、Ｖｓｙｎｃのパルス幅ＶＳＷは、可視画像がＶＳＷ＿Ｐである場合、ZAF画像がＣｅｉｌ（ＶＳＷ＿Ｐ／ｔ）となる。
【０１６７】
図１５の１１乃至１３段目で示されるように、ＨｓｙｎｃおよびＶｓｙｎｃの極性ＨＳＰ，ＶＳＰ、並びにＭＩＳＣ０の０ビット目は、いずれも可視画像とZAF画像とで同一である。
【０１６８】
図１５の１４段目で示されるように、ＭＩＳＣ１の７ビット目は、可視画像が伝送画像の画素構成に依存するのに対して、ZAF画像は１に設定されて輝度情報のみとなる。
【０１６９】
図１５の１５段目で示されるように、ＭＩＳＣ０の１乃至７ビット目は、可視画像が伝送画像に依存するのに対して、ZAF画像は画素当たりのビット数の情報となる。
【０１７０】
すなわち、図１５で示されるように、ZAF画像を扱う場合については、MSAをZAF画像に対応するものに設定しておく必要がある。
【０１７１】
＜送受信処理＞
次に、図１６のフローチャートを参照して、図９の伝送システムにおける可視画像データと共にZAF画像データを送信する場合の送受信処理について説明する。
【０１７２】
ステップＳ１１１において、ストリーム伝送処理部１４１のMSA生成部１６１は、可視画像データ用のMSAを生成し、多重化部１６３に出力する。
【０１７３】
ステップＳ１１２において、多重化部１６３は、供給されてくる可視画像データと可視画像データ用のMSAとを多重化して可視画像データからなるストリームデータを生成して多重化部１４３に供給する。
【０１７４】
ステップＳ１１３において、ストリーム伝送処理部１４２のMSA生成部１８１は、ZAF画像データ用のMSAを生成し、多重化部１８３に出力する。
【０１７５】
ステップＳ１１４において、多重化部１８３は、供給されてくるZAF画像データとZAF画像データ用のMSAとを多重化してZAF画像データからなるストリームデータを生成して多重化部１４３に供給する。
【０１７６】
ステップＳ１１５において、多重化部１４３は、供給されてくる可視画像データからなるストリームデータとZAF画像データからなるストリームデータとをVirtual Channelのフォーマットに従って、時分割多重化する。
【０１７７】
ステップＳ１１６において、多重化部１４３は、多重化して生成した多重化データを受信部１２２に送信する。
【０１７８】
ステップＳ１１７において、伝送部１２１は、次の画像信号がなく終了が指示されているか否かを判定し、終了が指示されていない場合、処理は、ステップＳ１１１に戻り、それ以降の処理が繰り返される。そして、ステップＳ１１７において、終了が指示された場合、処理は終了する。
【０１７９】
一方、受信部１２２においては、ステップＳ１３１において、受信部１２２の分割部２０１は、送信されてきた多重化データを受信する。
【０１８０】
ステップＳ１３２において、受信部１２２の分割部２０１は、受信した多重化データをVirtual Channelのフォーマットに従って、可視画像データからなるストリームデータとZAF画像データからなるストリームデータとを分割し、それぞれストリーム受信処理部２０２，２０３に供給する。
【０１８１】
ステップＳ１３３において、ストリーム受信処理部２０２の分割部２３１は、可視画像データからなるストリームデータより、可視画像用のMSAと、可視画像データとを分割し、可視画像用のMSAをMSA読取部２３２に、可視画像データを画像生成部２３４に出力する。
【０１８２】
ステップＳ１３４において、MSA読取部２３２は、MSAを読み取り、読み取ったMSAの情報を画像生成部２３４に供給する。
【０１８３】
ステップＳ１３５において、画像生成部２３４は、MSAの情報に基づいて、可視画像データより可視画像を再構成して出力する。
【０１８４】
ステップＳ１３６において、ストリーム受信処理部２０３の分割部２５１は、可視画像データからなるストリームデータより、ZAF画像用のMSAと、ZAF画像データとを分割し、ZAF画像用のMSAをMSA読取部２５２に、ZAF画像データを画像生成部２５４に出力する。
【０１８５】
ステップＳ１３７において、MSA読取部２５２は、ZAF画像用のMSAを読み取り、読み取ったMSAの情報を画像生成部２５４に供給する。
【０１８６】
ステップＳ１３８において、画像生成部２５４は、ZAF画像用のMSAの情報に基づいて、ZAF画像データよりZAF画像を再構成して出力する。
【０１８７】
ステップＳ１３９において、受信部１２２は、次の画像データがなく終了が指示されているか否かを判定し、終了が指示されていない場合、処理は、ステップＳ１３１に戻り、それ以降の処理が繰り返される。そして、ステップＳ１３９において、終了が指示された場合、処理は終了する。
【０１８８】
以上の処理により、ZAF画像と、可視画像データとがそれぞれストリーミングデータ化されることにより、Virtual Channelを利用して、可視画像データである有効画素データを送信すると共に、ZAF画素データを送信することが可能となる。
【０１８９】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１９０】
図１７は、汎用のパーソナルコンピュータの構成例を示している。このパーソナルコンピュータは、CPU(Central Processing Unit)１００１を内蔵している。CPU１００１にはバス１００４を介して、入出力インタ-フェイス１００５が接続されている。バス１００４には、ROM(Read Only Memory)１００２およびRAM(Random Access Memory)１００３が接続されている。
【０１９１】
入出力インタ-フェイス１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１９２】
CPU１００１は、ROM１００２に記憶されているプログラム、または磁気ディスク、光ディスク、光磁気ディスク、もしくは半導体メモリ等のリムーバブルメディア１０１１ら読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１９３】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。
【０１９４】
コンピュータ（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０１９５】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０１９６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１９７】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１９８】
なお、本技術の実施の形態は、上述した実施の形態に限定されるものではなく、本技術の要旨を逸脱しない範囲において種々の変更が可能である。
【０１９９】
例えば、本技術は、１つの機能をネットワークを介して複数の装置で分担、共同して処理するクラウドコンピューティングの構成をとることができる。
【０２００】
また、上述のフローチャートで説明した各ステップは、１つの装置で実行する他、複数の装置で分担して実行することができる。
【０２０１】
さらに、１つのステップに複数の処理が含まれる場合には、その１つのステップに含まれる複数の処理は、１つの装置で実行する他、複数の装置で分担して実行することができる。
【０２０２】
尚、本技術は、以下のような構成も取ることができる。
（１）  撮像装置の有効画素データからなる可視画像データを、ディスプレイに伝送するフォーマットを用いて伝送する伝送装置において、
前記可視画像データに加えて、前記撮像装置における位相検出画像データを伝送する伝送部を含む
伝送装置。
（２）  前記伝送部は、前記ディスプレイに伝送するフォーマットを利用して、前記撮像装置における前記位相検出画像データをパケット化して伝送する
（１）に記載の伝送装置。
（３）  前記ディスプレイに伝送するフォーマットは、DisplayPort（商標）で規定されるフォーマットであり、
前記伝送部は、前記DisplayPort（商標）で規定されるSDP（Secondary-data Packet）を、前記ディスプレイに伝送するフォーマットとして利用し、前記撮像装置における前記位相検出画像データをパケット化して伝送する
（２）に記載の伝送装置。
（４）  前記伝送部は、前記DisplayPort（商標）で規定されるSDP（Secondary-data Packet）の、位相検出画像情報パケット、および位相検出画像データパケットを利用して、前記撮像装置における前記位相検出画像データをパケット化して伝送する
（３）に記載の伝送装置。
（５）  前記伝送部は、前記位相検出画像情報パケットを、垂直ブランキング領域に配置し、前記位相検出画像データパケットを、水平ブランキング領域に配置して、前記位相検出画像データをパケット化して伝送する
（４）に記載の伝送装置。
（６）  前記位相検出画像情報パケットは、前記位相検出画像データにより構成される位相検出画像の１フレームあたりのライン数および１ライン当たりの画素数、１画素当たりのビット数、並びに１の前記位相検出画像データ当たりの画素数の情報を含む
（４）または（５）に記載の伝送装置。
（７）  前記伝送部は、前記位相検出画像データパケットを所定バイト単位でパッキングして伝送する
（４）乃至（６）のいずれかに記載の伝送装置。
（８）  前記伝送部は、前記ディスプレイに伝送するフォーマットにおける、１の伝送路で複数のストリームを複数のストリームソースから複数のストリームシンクに伝送する方式を利用して、前記可視画像データに加えて、前記撮像装置における前記位相検出画像データを伝送する
（１）に記載の伝送装置。
（９）  前記ディスプレイに伝送するフォーマットは、DisplayPort（商標）で規定されるフォーマットであり、
前記伝送部は、前記DisplayPort（商標）で規定されるVirtual Channelを利用して、前記可視画像データからなるストリームと、前記位相検出画像データからなるストリームとを１の伝送路でそれぞれの前記ストリームソースからそれぞれの前記ストリームシンクに伝送することで、前記可視画像データに加えて、前記撮像装置における前記位相検出画像データを伝送する
（８）に記載の伝送装置。
（１０）  前記Virtual Channelの、前記ストリーム毎に個別に設定される、前記ストリームの画像特性情報であるMSA（Main Stream Attributes）は、前記ストリームが前記位相検出画像データからなるストリームの場合、前記位相検出画像データにより構成される位相検出画像の１フレーム当たりのライン数および１ライン当たりの画素数、並びに１画素当たりのビット数の情報を含む
（９）に記載の伝送装置。
（１１）  前記MSAは、Mvid（ビデオストリームクロックの周波数）、およびNvid（リンククロック周波数）の情報をそれぞれさらに含み、
前記位相検出画像データからなる位相検出画像の垂直方向画素数および水平方向画素数が、前記可視画像データからなる可視画像の垂直方向画素数および水平方向画素数の、それぞれ１／ｔ、１／ｓであるとき、前記位相検出画像データの前記MSAの前記Mvidと前記Nvidとの比は、前記可視画像データの前記MSAの前記Mvidと前記Nvidとの比の１／（ｔ×ｓ）である
（１０）に記載の伝送装置。
（１２）  前記MSAは、前記撮像装置を特定する情報をさらに含む
（１０）または（１１）に記載の伝送装置。
（１３）  撮像装置の有効画素データからなる可視画像データを、ディスプレイに伝送するフォーマットを用いて伝送する伝送装置の伝送方法において、
前記可視画像データに加えて、前記撮像装置における位相検出画像データを伝送する伝送するステップを含む
伝送方法。
（１４）  撮像装置の有効画素データからなる可視画像データを、ディスプレイに伝送するフォーマットを用いて伝送する伝送装置を制御するコンピュータに、
前記可視画像データに加えて、前記撮像装置における位相検出画像データを伝送する伝送ステップを含む処理を実行させる
プログラム。
（１５）  撮像装置の有効画素データからなる可視画像データを、ディスプレイに伝送するフォーマットを用いて受信する受信装置において、
前記可視画像データに加えて、前記撮像装置における位相検出画像データを受信する受信部を含む
受信装置。
（１６）  撮像装置の有効画素データからなる可視画像データを、ディスプレイに伝送するフォーマットを用いて受信する受信装置の受信方法において、
前記可視画像データに加えて、前記撮像装置における位相検出画像データを受信するステップを含む
受信方法。
（１７）  撮像装置の有効画素データからなる可視画像データを、ディスプレイに伝送するフォーマットを用いて受信する受信装置を制御するコンピュータに、
前記可視画像データに加えて、前記撮像装置における位相検出画像データを受信する受信ステップを含む処理を実行させる
プログラム。
（１８）  撮像装置の有効画素データからなる可視画像データを、ディスプレイに伝送するフォーマットを用いて伝送する伝送装置と、受信装置とからなる伝送システムにおいて、
前記伝送装置は、
前記可視画像データに加えて、前記撮像装置における位相検出画像データを前記受信装置に伝送する伝送部を含み、
前記受信装置は、
前記可視画像データに加えて、前記撮像装置における位相検出画像データを前記伝送装置から受信する受信部を含む
伝送システム。
【符号の説明】
【０２０３】
２１  伝送部，  ２２  受信部，  ４１  MSA生成部，  ４２  SDP生成部，  ４３  多重化部，  ６１  分割部，  ６２  MSA読取部，  ６３  SDP読取部，  ６４  画像生成部，  １２１  伝送部，  １２２  受信部，  １４１，１４１，−１乃至１４１−ｎ，１４２  ストリーム伝送処理部，  １４３  多重化部，  １６１  MSA生成部，  １６２  SDP生成部，  １６３  多重化部，  １８１  MSA生成部，  １８２  SDP生成部，  １８３  多重化部，  ２０１  分割部，  ２０２，２０２−１乃至２０２−ｎ，２０３  ストリーム受信処理部，  ２３１  分割部，  ２３２  MSA読取部，  ２３３  SDP読取部，  ２３４  画像生成部，  ２５１  分割部，  ２５２  MSA読取部，  ２５３  SDP読取部，  ２５４  画像生成部
【図１】
2015188154.tif 000003
【図２】
2015188154.tif 000004
【図３】
2015188154.tif 000005
【図４】
2015188154.tif 000006
【図５】
2015188154.tif 000007
【図６】
2015188154.tif 000008
【図７】
2015188154.tif 000009
【図８】
2015188154.tif 000010
【図９】
2015188154.tif 000011
【図１０】
2015188154.tif 000012
【図１１】
2015188154.tif 000013
【図１２】
2015188154.tif 000014
【図１３】
2015188154.tif 000015
【図１４】
2015188154.tif 000016
【図１５】
2015188154.tif 000017
【図１６】
2015188154.tif 000018
【図１７】
2015188154.tif 000019